(57)【要約】      （修正有）【課題】ＰＯＰカードが収納されたカードケースを電子棚札に無造作に取り付けても、見栄えの良い位置に確実に位置決めすることができる電子棚札を提供する。【解決手段】商品棚に取り付けられる電子棚札１とＰＯＰ広告用の表示具２とを備える。表示具２は、電子棚札１のケーシング１０の縁を前後から挟むクリップ部３５を備え、ケーシング１０の裏面には、クリップ部３５をケーシング１０の中央位置まで案内するガイド部１５と、その中央位置でクリップ部３５を係止する係止部とが設けられている。【選択図】図１
0003186408.tif 000002
【実用新案登録請求の範囲】
【請求項１】
商品棚に取り付けられ、対応する商品の商品情報を表示部に表示するとともに、当該商品のＰＯＰカードが収納される表示具が取り付けられる電子棚札であって、前記表示具が前記電子棚札のケーシングの縁を前後から挟持するクリップ部を備え、前記ケーシングの裏面には、前記クリップ部を前記ケーシングの所定位置まで案内するガイド部と、前記クリップ部を前記所定位置で拘束する係止部とを備えたことを特徴とする電子棚札。
【請求項２】
前記ケーシングの裏面には、商品棚に取り付けられる既設のアダプターが装着される装着部が直接形成されていることを特徴とする請求項１に記載の電子棚札。
【請求項３】
前記表示具は、前記クリップ部の他に、前記ＰＯＰカードが収納される透明樹脂製のカードケースと、そのカードケースを前記電子棚札の表示部の近傍に並べて保持するケース保持具とを備え、前記ケース保持具に外力が加わると、前記クリップ部が前記ケーシングに対して着脱可能となることを特徴とする請求項１に記載の電子棚札。
【考案の詳細な説明】
【技術分野】
【０００１】
本考案は、商品棚に取り付けられ、対応する商品に関する情報をタイムリーに表示する電子棚札と、その電子棚札に取り付けられ、当該商品のＰＯＰ（Point of purchase）広告を表示する表示具とに関する。
【背景技術】
【０００２】
周知のように、電子棚札は、商品棚に取り付けられて、対応する商品の価格をタイムリーに表示する表示器具として知られている。そして、対応する商品を売り出すときは、当該商品が折込み広告の商品であることを示す表示具を電子棚札に取り付けて人目を引くようにしている。
【０００３】
こうしたＰＯＰ広告用の表示具としては、例えば、下記特許文献に記載のものが知られている。これらの特許文献の内、特許文献１〜４に記載のものは、電子棚札に取り付ける専用のＰＯＰパネルを１アイテムに付き数種類用意しておき、それらを広告内容に応じて電子棚札に取り付ける方式である。これに対し、特許文献５は、透明なカードケースを用意し、その中に紙製のＰＯＰカードを差し込んで電子棚札に取り付ける方式である。
【０００４】
前者のＰＯＰパネル方式では、数種類のＰＯＰパネルを電子棚札の数だけ用意する必要がある。しかも、ＰＯＰパネルは、プラスチック製の専用品であるから、大量に用意するには、コストアップになる。これに対し、紙製のＰＯＰカードをカードケースに差し込む後者の方式では、ユーザーが紙でＰＯＰカードを自由に製作することができるから、前者よりは、コストを抑えることができる。
【先行技術文献】
【特許文献】
【０００５】
【特許文献１】特開２００４−３６１７２９号公報
【特許文献２】特許第４４１５５９３号公報
【特許文献３】特開２０１０−１１０５０６号公報
【特許文献４】特開２０１１−１９７３９５号公報
【特許文献５】実用新案登録第３１３９２３８号公報
【考案の概要】
【考案が解決しようとする課題】
【０００６】
そこで、後者の方式がユーザーに好まれているが、ＰＯＰカードを電子棚札に取り付ける従来の取り付け具は、電子棚札を商品棚に装着するプラスチック製のアダプターに溝やスリットを形成し、そこにＰＯＰカードの収納されたカードケースを嵌め込むものであった。そのため、繰り返し使用や経年変化によって、プラスチック製の溝やスリットが壊れてしまうと、カードケースが装着できなくなるから、電子棚札をアダプターごと商品棚から取り外して、壊れたアダプターを交換しなければならない煩わしさがあった。
【０００７】
また、ＰＯＰカードの取り付け作業は、特売日の開店前に行われることが多いから、効率良く処理して行くことが不可欠となる。しかし、そうした作業中に壊れたアダプターの交換を強いられると、ＰＯＰカードの取り付け作業が停滞してしまう問題があった。
【０００８】
この問題を解決する一つの方法としては、ＰＯＰカードを収納したカードケースをアダプターに取り付けるのではなく、特許文献４に示すように、電子棚札に直接取り付ける方法が考えられる。そうすれば、アダプターを交換する必要がなくなる。
【０００９】
しかし、カードケースを電子棚札に効率良く取り付けていくためには、カードケースを電子棚札に無造作に取り付けても、見栄えの良い位置に確実に位置決めすることができなければならない。また、電子棚札に取り付けられたカードケースに無理な外力が加わっても、電子棚札を壊さない構造でなければならない。
本考案は、こうした要求に応えることのできる新たな電子棚札とそれに取り付けるＰＯＰ広告用の表示具を提供することを課題とする。
【課題を解決するための手段】
【００１０】
本考案に係る電子棚札は、商品棚に取り付けられ、対応する商品の商品情報を表示部に表示するとともに、当該商品のＰＯＰカードが収納される表示具が取り付けられる電子棚札であって、前記表示具が前記電子棚札のケーシングの縁を前後から挟持するクリップ部を備え、前記ケーシングの裏面には、前記クリップ部を前記ケーシングの所定位置まで案内するガイド部と、前記クリップ部を前記所定位置で拘束する係止部とを備えたことを特徴とする。
【００１１】
ここで、ケーシングの前後とは、電子棚札の表示部を前側とした場合の前後の意味である。したがって、ケーシングの縁を前後から挟持するとは、ケーシングの前面と裏面との間に跨ってケーシングの縁を挟持することを意味する。
【００１２】
ＰＯＰカードが収納された表示具を電子棚札に取り付けるときは、表示具のクリップ部で電子棚札のケーシングの縁を挟んで差し込む。すると、電子棚札のケーシングの裏面には、前記クリップ部を所定位置まで案内するガイド部が設けられているので、クリップ部をケーシングの縁に無造作に差し込んでも、表示具を電子棚札の最も見栄えの良い位置まで案内する。そして、クリップ部がその位置まで差し込まれると、係止部がクリップ部を拘束するから、表示具を無造作に取り付けても、ＰＯＰカードを電子棚札の見栄えの良い位置に素早く位置決めすことができる。
【００１３】
この係止部は、例えば、クリップ部に突起が形成される場合は、その突起が嵌り込む凹部が係止部となり、逆にクリップ部に凹部が形成される場合は、その凹部に嵌り込む突起がケーシングに形成される係止部となる。しかし、これらには限定されず、クリップ部をケーシングに拘束するものであれば、どのような構成であっても良い。例えば、ガイド部に案内されたクリップ部がガイド部から抜けて所定位置に落ち着くと、クリップ部に設けられた突起がガイド部の下端に入り込んで抜け止め状態にするものであっても良い。
【００１４】
また、前記ケーシングの裏面には、商品棚に取り付けるための既設のアダプターが装着される装着部が直接形成されていることを特徴とする。これまでの電子棚札には、この装着部はなく、その代わりに、別個に形成した装着部を電子棚札の裏面に取り付けていた。そのため、電子棚札の厚みが厚くなり、それによって商品棚から電子棚札が飛び出す問題があった。本考案では、この問題を解消するために、別部材で形成していた装着部をケーシングの裏面に直接形成する。これにより、商品棚からの電子棚札の飛び出しを抑えることができるとともに、商品棚に取り付けられた既設のアダプターを利用して、本考案に係る電子棚札をそのまま商品棚に取り付けることができる。
【００１５】
前記表示具は、クリップ部の他に、ＰＯＰカードが収納される透明樹脂製のカードケースと、そのカードケースを前記電子棚札の表示部の近傍に並べて保持するケース保持具とを備え、前記ケース保持具に外力が加わると、前記クリップ部が前記ケーシングに対して着脱可能となることを特徴とする。これにより、棚から商品を取り出そうとした弾みに、手や商品がケース保持具に当たったとしても、そのときの外力によってクリップ部が係止部から浮いてケーシングを保護する。更に強い外力を受けると、今度はクリップ部自体がそこから離脱してケーシングを保護する。
【考案の効果】
【００１６】
本考案によれば、ＰＯＰ広告用の表示具を電子棚札に無造作に取り付けても、表示具が見栄えの良い位置に確実に位置決めされるから、表示具の取り付け作業を効率的に進めることができる。したがって、特売日の開店前に表示具の取り付け作業を行っても、短時間で終わらせることができる。
【００１７】
また、ケーシングの裏面には、商品棚に取り付けられた既設のアダプターが装着される装着部が直接形成されているから、電子棚札の商品棚からの飛び出しを抑えることができるとともに、従来の電子棚札を新しい電子棚札と入れ替える場合でも、既設のアダプターをそのまま使用してコストを抑えることができる。
【００１８】
さらに、本考案の表示具によれば、ケース保持具を手に持ってクリップ部を電子棚札のケーシングに簡単に取り付けることができ、更に棚から商品を取り出そうとした弾みに、手や商品がケース保持部に当たったとしても、ケーシングが壊れる前にクリップ部がケーシングから離脱するから、高価な電子棚札を保護することができる。
【図面の簡単な説明】
【００１９】
【図１】第１実施形態に係る電子棚札とそれに取り付ける表示具の分解外観斜視図。
【図２】前記電子棚札に表示具を取り付けた状態の正面図。
【図３】前記電子棚札の裏面に表示具を取り付ける様子を示す外観斜視図。
【図４】前記表示具の拡大側面図。
【図５】前記ケーシングの裏面にアダプターを取り付ける様子を示す外観斜視図。
【図６】第２実施形態に係る電子棚札にアダプターを取り付けた状態の裏面図。
【考案を実施するための形態】
【００２０】
＜第１実施形態＞
以下、本考案に係る電子棚札の第１実施形態とその電子棚札に取り付ける表示具を図面に基づいて説明する。
【００２１】
図１〜図４において、電子棚札１は、図示しない商品棚の前面に取り付けられて、対応する商品の最新情報を表示する。そのため、前面には、プラスチック製のケーシング１０に収められた表示部１１が配置される。図２の表示部１１には、商品情報の一例として、カード会員用の割引価格である「９８円」を、一般用の通常価格である「１２８円」を、その他の情報として、割引期間、商品名、商品コード等を表示しているが、これらの商品情報は、売価変更に応じてタイムリーに切り替えられる。そのためケーシング１０には、この表示部１１の他に、全商品を管理するサーバー装置と交信する光通信部１２と、前記表示部１１や光通信部１２を制御する制御基板１３とが収納されている。
なお、ケーシング１０の前面下部には、窓１４が設けられ、そこから光通信部１２と制御基板１３とが視認可能となっている。また、ケーシング１０の前側全面には、前記表示部１１と窓１４とを一体的に覆う透明プラスチック板１５が固定されている。
【００２２】
表示部１１は、例えば、電子ペーパーのようなドットマトリックス方式の不揮発性表示器で構成されて、電力を与えなくても、一度書き込まれた表示内容は、保持されるようになっている。
【００２３】
光通信部１２は、例えば、サーバー装置と赤外線を使って通信するもので、電子棚札１の現在のステータスをサーバー装置に送信したり、サーバー装置から売価変更の情報を受信したりする。そのため、向かって左側の丸い素子が発行ダイオードで構成された発光部とされ、右側の矩形素子がフォトダイオードとアンプで構成された受光部とされている。
【００２４】
電子棚札１の頭部には、ＰＯＰ広告用の表示具２が取り付けられる。この表示具２は、
ＰＯＰカードＣが収納されるカードケース２０と、そのカードケース２０を支持しつつ、ケーシング１０の上縁に着脱自在に取り付けられるケース保持具３とで構成される。
【００２５】
ＰＯＰカードＣは、カードケース２０に収まるサイズの紙に広告文を表記したもので、例えば、折込み広告の商品であることを示す「広告の品」や、「おすすめ品」、「今月のお買い得品」、「お買い得商品」等の文字が表記される。
【００２６】
カードケース２０は、電子棚札１の横幅に収まる幅を持った弾性変形可能な透明樹脂シートで形成される。その樹脂シートは、水平な上下の折り目で三つ折りにされ、図４に示すように、折り重ねられた表裏のシート間にＰＯＰカードＣが挿入される。また、カードケース２０の裏面に折られた上部シート２１の中央部には、横に長い長穴２２が形成され、その長穴２２が下部シート２３の上に被さる。そして、ＰＯＰカードＣが収納されたカードケース２０をケース保持具３に取り付けるときは、下部シート２３と上部シート２１との間にケース保持具３の中央板３１を挿入する。即ち、図４の下向き開放の上部シート２１の内側に中央板３１を挿入しながら、カードケース２０の下端部が側面視Ｕ字状の受け部３２、３２の底に当たるまで差し込む。すると、上部シート２１に形成された長穴２２が中央板３１の裏面に形成された突起３３（図３、図４参照）に嵌り込んで抜け止め状態に保持される。
【００２７】
ケース保持具３は、透明なプラスチック材で形成された上部側のケース保持部３４と、それと一体形成された下部側のクリップ部３５とから構成されている。ケース保持部３４は、中央板３１と、その両サイドの左右の押さえ板３６、３６と、その中央板３１の裏面中腹から水平に突出して、その中央板３１の裏面中腹と左右の押さえ板３６、３６の水平部とを一体的に連結するブラケット３７を備えている。また、左右の押さえ板３６、３６は、後ろ側に傾斜して、中央板３１の裏面との間隙が上方に行く程拡大するように形成されている（図４参照）。そして、中央板３１に親指を添え、両サイドの押さえ板３６、３６に人差し指と中指を添えて摘めば、一体化された下部のクリップ部３５が口を開くようになっている。
【００２８】
クリップ部３５は、中央板３１の下端部前面に形成された左右の受け部３２、３２と、左右の押さえ板３６、３６の下端部にそれぞれ形成された左右の押さえ部３８、３８とで形成されている。そして、中央板３１と両サイドの押さえ板３６、３６とが指で押さえられると、前側の受け部３２、３２と後側の押さえ部３８、３８との間隔が開き、その状態でクリップ部３５をケーシング１０の縁に差し込んで手を離すと、前側の受け部３２、３２と後側の押さえ部３８、３８とがケーシング１０の縁を前後から挟持するようになっている。
【００２９】
前側の受け部３２、３２は、側面視がＵ字状に形成され、後側押さえ部３8、３８は、側面視が逆Ｕ字状に形成されている（図４参照）。また、左右の押さえ部３８、３８の下端部内側には、ケーシング１０の裏面に形成された後述の係止部１６に嵌る突起３９、３９が形成されている。さらに、左右の押さえ板３６、３６の裏面と押さえ部３８、３８の上面との間には、筋交い４０、４０が設けられて、上側の押さえ板３６、３６が前側へ回動すると、それと連動して下側の押さえ部３８、３８がブラケット３７を軸として後側へ回動するようになっている。
【００３０】
なお、この実施形態では、前側の受け部３２、３２を左右に分離しているが、これに替えて、左右が連なった一体型としてもよい。また、左右の押さえ板３６、３６の前面に設けられた突起４１、４１は、カードケース２０の上部シート２１を押さえて、突起３３に嵌り込んだ上部シート２１の長穴２２が突起３３から抜け出ないようにしている。また、左右の押さえ板３６、３６の裏面上端に設けられた突起４２、４２は、指を添えるときの滑り止めである。
【００３１】
図３において、電子棚札１のケーシング１０の裏面上部には、前記クリップ部３５をケーシング１０の所定位置まで案内するガイド部１５と、そのクリップ部３５を所定位置で拘束する係止部１６とが設けられている。
【００３２】
ガイド部１５は、ケーシング１０の裏面から隆起させたケーシング１０の一部分であって、正規の位置からはみ出た左右の押さえ部３８、３８をそれぞれ中央側に寄せる左右の傾斜部１５１、１５１と、各傾斜部１５１、１５１の下端部から上下方向に延びて、左右の押さえ部３８、３８の横移動を規制する左右の規制部１５２、１５２とで構成されている。そして、作業者が表示具２をケーシング１０に取り付けるときは、電子棚札１の裏面が見えない状態で取り付けるから、ケーシング１０の上縁に差し込まれた左右の押さえ部３８、３８は、ケーシング１０の中央位置からずれることが多い。そうした場合、ずれた左右の押さえ部３８、３８の一方は、一方の傾斜部１５１上に乗って傾くが、それが下向きに差し込まれれば、傾斜部１５１上に乗った押さえ部３８は、傾斜部１５１に案内されて中央位置に移動し、そこで水平状態となって下方に落ち込む。
【００３３】
一方、規制部１５２、１５２に隣接する、対向する側のケーシング１０には、前述の突起３９、３９が嵌り込む凹状に形成された係止部１６、１６が設けられている。この係止部１６、１６に押さえ部３８、３８の突起３９、３９がそれぞれ嵌り込むと、ケース保持具３を引き上げても、突起３９、３９が凹んだ係止部１６、１６に食い込んで簡単には外れないようになっている。
しかし、ケース保持具３に後方から前方へ外力が加わると、係止部１６、１６に嵌り込んだ突起３９、３９が浮き上がってケース保持具３が前側に傾く。さらに強い外力が加わると、電子棚札１のケーシング１０が壊れる前にクリップ部３５自体がケーシング１０から外れて離脱する。これにより、商品棚から商品を取り出すときに、不測にして手や商品が表示具２に当たったとしても、ケース保持具３が傾いたり、ケーシング１０から離脱したりするから、商品棚に取り付けられた電子棚札１を保護することができる。
【００３４】
電子棚札１は、典型的には、商品棚のフレームに取り付けられるが、必要に応じて商品を搭載したワゴンや、冷凍・冷蔵ケース等に取り付けられる。そのため、プラスチック製のケーシング１０の裏面には、図３、図５に示すようなアダプター装着部５が一体形成され、その装着部５に、種々の形状のアダプター６が挿入されるようになっている。
【００３５】
これまでの電子棚札には、この装着部５がなく、別個に形成した装着部を電子棚札の裏面に取り付けていたから、その部分だけ電子棚札の厚みが厚くなっていた。これに対し、この実施形態に係る電子棚札１では、ケーシング１０の裏面にこの装着部５を直接形成したから、その部分だけ電子棚札１の厚みが薄くなって商品棚からの飛び出しを抑えることができる。なお、アダプター装着部５の内部には、図示しないボタン電池が収納されて、ケーシング１０内の種々のデバイスに電力を供給するようになっている。
【００３６】
アダプター装着部５は、ケーシング１０の裏面において、ボタン電池を収納するための隆起部上に直接形成されたもので、その隆起部の上下位置に対向状に形成された平面視Ｌ字状の隆起部５１、５１と、各隆起部５１、５１の右端における対向面側に、互いに対向状に形成された溝５２、５２と、左端の上下方向の隆起部５３、５３の中腹に形成された長穴５４、５４とを備えている。
【００３７】
一方、アダプター６は、アダプター装着部５に挿入される第１アダプター６１と、その第１アダプター６１の上に重ねて装着される第２アダプター６２とから構成されている。
第１アダプター６１は、プラスチック材で成形されたもので、板状のベース部材６１１の上下側面には、前記溝５２、５２と嵌合するレール６１２、６１２が形成されている。また、ベース部材６１１の上面には、第２アダプター６２を上下から保持するＬ字状の隆起した溝付ガイド６１３、６１３が上下に分かれて対向状に形成されている。また、それより左側のベース部材６１１の側面には、アダプター装着部５の段差部５５を乗り越えて係合する下向き爪を有するフック６１４が形成され、その両サイドの前記側面には、前記長穴５４、５４に挿入される突起片６１５、６１５が形成されている。
【００３８】
そして、第１アダプター６１をアダプター装着部５に装着するときは、第１アダプター６１のレール６１２、６１２をアダプター装着部５の溝５２、５２に嵌めて矢印方向Ａにスライドさせる。すると、フック６１４の下向き爪が段差部５５を乗り越えて外側の段差に落ち込み、それと同時に、突起片６１５、６１５が長穴５４、５４に挿入され、それによってベース部材６１１の浮き上がりが規制されてロックされる。そして、両者を分離させるときは、フック６１４を持ち上げながら、第１アダプター６１を矢印方向Ａと逆方向にスライドさせる。すると、フック６１４の下向き爪が段差部５５から外れて、第１アダプター６１がアダプター装着部５から離脱する。
【００３９】
第２アダプター６２は、同じくプラスチック材で成形されたもので、板状のベース部材６２１と、それと一体成形された図示しない係合部材とで構成される。この係合部材は、ベース部材６２１から突出する支柱６２２の先端部分に形成されるもので、図５では、その先端部分を切除した状態で示している。そして、その先端部分には、それが装着される対象物の形状、例えば、パイプフレーム、角形フレーム、Ｃ型レール等の形状に応じて、それぞれに適合する形状の係合部材が形成されている。
【００４０】
そして、第２アダプター６２を第１アダプター６１に装着するときは、第２アダプター６２のベース部材６２１の上下を溝付ガイド６１３、６１３の溝に嵌めて矢印方向にスライドさせる。すると、第１アダプター６１に形成されたフック６１６の爪が沈みながら、第２アダプター６２が溝付ガイド６１３、６１３の溝に挿入されて、溝付ガイド６１３の上下方向に延びる隆起部６１７、６１７に当たって止まる。すると、フック６１６の上向き爪が第２アダプター６２の右側縁に沿って起き上がり、これにより、第２アダプター６２を第１アダプター６１上にロックする。このように、種々の形状を有する既設のアダプター６が電子棚札１に装着可能となっているから、既設のアダプターが使用されている商品棚に第１実施形態に係る電子棚札１をそのまま取り付けることができる。
【００４１】
＜第２実施形態＞
図６は、第２実施形態に係る電子棚札１００の裏面を示したものである。この電子棚札１００は、第１実施形態に係る横長の電子棚札１の横幅を短くすることによって縦長にしたもので、縦横比の変更に伴って左右のガイド部１５０、１５０を短小にしている他は、第１実施形態の各部と同一の構造を有している。したがって、図６では、第１実施形態の各部と同一のものは、同一符号を付している。
【００４２】
また、この第２実施形態でも、第１実施形態のケース保持具３が使用されるが、カードケース２０の横幅は、電子棚札１００の横幅とほぼ同じにするのが好ましい。しかし、必ずしもこれに限定されるものではなく、第１、第２実施形態において、商品の陳列様式や対応する商品の陳列スペースに応じて、電子棚札１、１００の横幅よりも長い横幅のカードケース２０を使用することもできる。
【００４３】
以上、この考案の実施形態を説明したが、本考案は、これに限定されるものではなく、実用新案登録請求の範囲において、その他の形態も採用可能である。例えば、ＰＯＰカードを収納したカードケースは、表示部の上部に配置されるのが好ましいが、電子棚札の設置場所によっては、電子棚札の下部や側部に配置するのが好ましい場合もある。そうした場合は、ケーシングに形成されるガイド部と係止部の位置を変え、それに応じて表示具の取り付け位置を変えるようにしても良い。
【００４４】
また、ここでは、表示具２をケーシングの縁に取り付けるときに、クリップ部３５を洗濯挟みのように指で摘んで拡げる方式を採っているが、これに限定されるものではなく、例えば、横断面形状がコの字形のクリップ部を用い、そのクリップ部の頭部に水平方向のスリットを形成して、そのスリットにＬ字状に成形されたカードケースの水平部分を差し込む方式であっても良い。なお、このカードケースは、弾性変形可能な透明樹脂シートで形成されるから、このカードケースに外力が加わっても、電子棚札のケーシングを壊すことはない。
【符号の説明】
【００４５】
１        電子棚札
２        表示具
３        ケース保持具
５        アダプター装着部
６        アダプター
１０        ケーシング  
１１        表示部
１５（150） ガイド部
１６        係止部
２０        カードケース
３４        ケース保持部
３５        クリップ部
Ｃ        ＰＯＰカード
【図１】
0003186408.tif 000003
【図２】
0003186408.tif 000004
【図３】
0003186408.tif 000005
【図４】
0003186408.tif 000006
【図５】
0003186408.tif 000007
【図６】
0003186408.tif 000008